(57)【要約】【課題】物体表面の一部を撮像した画像を基準データとして登録しておき、判定対象の物体から取得した照合用データを基準データと比較することにより物体の同一性を判定する際に照合精度を向上する。【解決手段】判定セットテーブル記憶部３５は、登録デバイス情報、マテリアル情報、照合デバイス情報と、照合パラメータとを対応付けて記憶する。ランダムパターンテーブル記憶部３４は、登録デバイス情報およびマテリアル情報と、基準データとを対応付けられて記憶する。照合制御部３３は、登録デバイス情報、マテリアル情報および照合デバイス情報の組に対応した照合パラメータを判定セットテーブル記憶部３５から読み出し、登録デバイス情報、マテリアル情報に対応した基準データをランダムパターンテーブル記憶部３４から読み出して、照合用データと基準データとを照合パラメータを用いて照合する。【選択図】図３
2019200447.tif 000002
【特許請求の範囲】
【請求項１】
判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段と、
前記登録装置情報および前記材質情報と、予め取得された基準データとが対応付けられて記憶された第２の記憶手段と、
判定処理を行う際に判定対象の物体から取得された照合用データと、材質情報および照合装置情報とを受け付ける受付手段と、
前記受付手段により受付けられた材質情報および照合装置情報と、当該照合装置情報により特定される登録装置情報とに対応した照合基準情報を前記第１の記憶手段から読み出し、前記照合装置情報により特定される登録装置情報と前記材質情報に対応した基準データを前記第２の記憶手段から読み出し、前記受付手段により受け付けられた照合用データと、前記第２の記憶手段から読み出した基準データとを、読み出した照合基準情報を用いて照合することにより判定対象の物体の同一性を判定する判定手段と、
を備えた同一性判定装置。
【請求項２】
判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段と、
前記登録装置情報、前記材質情報および物体の識別情報と、予め取得された基準データとが対応付けられて記憶された第２の記憶手段と、
判定処理を行う際に判定対象の物体から取得された照合用データと、照合装置情報および判定対象の物体の識別情報とを受け付ける受付手段と、
前記受付手段により受付けられた識別情報に対応する登録装置情報、材質情報および基準データを前記第２の記憶手段から読み出し、読み出した登録装置情報、材質情報および前記受付手段により受け付けられた照合装置情報の組に対応した照合基準情報を前記第１の記憶手段から読み出し、前記受付手段により受け付けられた照合用データと、前記第２の記憶手段から読み出した基準データとを、読み出した照合基準情報を用いて照合することにより判定対象の物体の同一性を判定する判定手段と、
を備えた同一性判定装置。
【請求項３】
前記照合基準情報が、照合の際に、判定対象の物体が基準データを取得した物体と同一であるか否かを判定するための閾値情報である請求項１又は２記載の同一性判定装置。
【請求項４】
前記閾値情報が、判定対象の物体が基準データを取得した物体と同一であるか否かを判定するための相関係数の閾値、および相関係数を正規化した値であるノーマライズドスコアの閾値のいずれか一方または両方である請求項３記載の同一性判定装置。
【請求項５】
照合の際に前記受付手段により受け付けられた照合用データと、登録装置情報、材質情報および照合装置情報とを対応付けて記憶する第３の記憶手段と、
同一性判定が行われる際に前記受付手段において照合用データのみが受付けられた場合、前記第３の記憶手段に記憶されている過去の照合用データの特徴情報をそれぞれ算出し、前記受付手段により受付けられた照合用データから算出される特徴情報と最も類似する特徴情報が算出された照合用データと対応付けて記憶されている登録装置情報、材質情報および照合装置情報を前記第３の記憶手段から読み出して、前記受付手段により受付けた照合用データに対応する登録装置情報、材質情報および照合装置情報と推定する推定手段と、
をさらに備えた請求項１記載の同一性判定装置。
【請求項６】
前記特徴情報が、前記照合用データの各画素の輝度平均値と輝度分散である請求項５記載の同一性判定装置。
【請求項７】
登録装置情報および材質情報と基準データとが送信されてきた場合、送信されてきた登録装置情報、材質情報および基準データとを対応付けて前記第２の記憶手段に登録する登録手段をさらに備え、
前記登録手段は、基準データの登録処理が行われる際に基準データのみが送信されてきた場合、前記第２の記憶手段に既に記憶されている他の基準データの特徴情報を算出して、送信されてきた基準データの特徴情報と最も類似する特徴情報が算出された基準データと対応付けて記憶されている登録装置情報および材質情報を、送信されてきた基準データと対応付けて前記第２の記憶手段に登録する請求項１記載の同一性判定装置。
【請求項８】
前記特徴情報が、前記基準データの各画素の輝度平均値と輝度分散である請求項７記載の同一性判定装置。
【請求項９】
前記判定手段は、判定対象の物体の同一性を判定しようとする際に、登録装置情報、材質情報および照合装置情報の組が前記第１の記憶手段に登録されていない場合、判定処理は実行不可能であると判定する請求項１から８のいずれか記載の同一性判定装置。
【請求項１０】
判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段と、前記登録装置情報および前記材質情報と、予め取得された基準データとが対応付けられて記憶された第２の記憶手段と、判定処理を行う際に判定対象の物体から取得された照合用データと、材質情報および照合装置情報とを受け付ける受付手段と、前記受付手段により受付けられた材質情報および照合装置情報と、当該照合装置情報により特定される登録装置情報とに対応した照合基準情報を前記第１の記憶手段から読み出し、前記照合装置情報により特定される登録装置情報と前記材質情報に対応した基準データを前記第２の記憶手段から読み出し、前記受付手段により受け付けられた照合用データと、前記第２の記憶手段から読み出した基準データとを、読み出した照合基準情報を用いて照合することにより判定対象の物体の同一性を判定する判定手段と、を備えた同一性判定装置と、
判定対象の物体表面の一部を撮像することにより照合用データおよび材質情報を取得し、自装置の情報である照合装置情報とともに前記同一性判定装置に対して送信する端末装置と、
を有する同一性判定システム。
【請求項１１】
判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段と、前記登録装置情報、前記材質情報および物体の識別情報と、予め取得された基準データとが対応付けられて記憶された第２の記憶手段と、判定処理を行う際に判定対象の物体から取得された照合用データと、照合装置情報および判定対象の物体の識別情報とを受け付ける受付手段と、前記受付手段により受付けられた識別情報に対応する登録装置情報、材質情報および基準データを前記第２の記憶手段から読み出し、読み出した登録装置情報、材質情報および前記受付手段により受け付けられた照合装置情報の組に対応した照合基準情報を前記第１の記憶手段から読み出し、前記受付手段により受け付けられた照合用データと、前記第２の記憶手段から読み出した基準データとを、読み出した照合基準情報を用いて照合することにより判定対象の物体の同一性を判定する判定手段と、を備えた同一性判定装置と、
判定対象の物体表面の一部を撮像することにより照合用データおよび物体の識別情報を取得し、自装置の情報である照合装置情報とともに前記同一性判定装置に対して送信する端末装置と、
を有する同一性判定システム。
【請求項１２】
判定処理を行う際に判定対象の物体から取得された照合用データと、材質情報および照合装置情報とを受け付ける受付ステップと、
前記受付ステップにおいて受付けられた材質情報および照合装置情報と、当該照合装置情報により特定される登録装置情報とに対応した照合基準情報を、判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段から読み出すステップと、
前記受付ステップにおいて受付けられた照合装置情報により特定される登録装置情報と材質情報に対応した基準データを、前記登録装置情報および前記材質情報と、予め取得された基準データとが対応付けられて記憶された第２の記憶手段から読み出すステップと、
前記受付ステップにおいて受け付けられた照合用データと、前記第２の記憶手段から読み出した基準データとを、読み出した照合基準情報を用いて照合することにより判定対象の物体の同一性を判定する判定ステップと、
をコンピュータに実行させるためのプログラム。
【請求項１３】
判定処理を行う際に判定対象の物体から取得された照合用データと、照合装置情報および判定対象の物体の識別情報とを受け付ける受付ステップと、
前記受付ステップにおいて受付けられた識別情報に対応する登録装置情報、材質情報および基準データを、前記登録装置情報、前記材質情報および物体の識別情報と、予め取得された基準データとが対応付けられて記憶された第２の記憶手段から読み出すステップと、
読み出された登録装置情報、材質情報および前記受付ステップにおいて受け付けられた照合装置情報の組に対応した照合基準情報を、判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段から読み出すステップと、
前記受付ステップにおいて受け付けられた照合用データと、前記第２の記憶手段から読み出した基準データとを、読み出した照合基準情報を用いて照合することにより判定対象の物体の同一性を判定する判定ステップと、
をコンピュータに実行させるためのプログラム。
【発明の詳細な説明】
【技術分野】
【０００１】
本発明は、同一性判定装置、同一性判定システムおよびプログラムに関する。
【背景技術】
【０００２】
特許文献１には、有価証券の画像情報を読み取って、読み取った画像情報から有価証券の券種を判別して、判別した券種に基づいて券番号が表示された位置を特定して券番号の読取るとともに有価証券の真贋判定用の特性情報を読取り、読み取った券番号と特性情報とからこの有価証券の真贋判定を行うようにした有価証券の真贋判定システムが開示されている。
【０００３】
特許文献２には、原稿台に置かれた原稿の光沢度を検知して、検知した光沢度に対応した光量で原稿に照明を照射して紙指紋を採取するようにした画像形成装置が開示されている。
【０００４】
特許文献３には、ＩＣカード表面からカード固有のランダムパターンを取得して、ＩＣカード内に記憶されている対比照合情報と比較することによりＩＣカードの真贋判定を行うＩＣカード真贋判定システムが開示されている。
【先行技術文献】
【特許文献】
【０００５】
【特許文献１】特開２００５−３１６５２７号公報
【特許文献２】特開２０１０−０５０５５１号公報
【特許文献３】特許第５９４５６００号公報
【発明の概要】
【発明が解決しようとする課題】
【０００６】
本発明の目的は、物体表面の一部を撮像した画像を基準データとして登録しておき、判定対象の物体から取得した照合用データを基準データと比較することにより物体の同一性を判定する際に、登録装置、照合装置および物体の材質に関係なく同じ照合処理を行う場合と比較して、照合精度を向上することが可能な同一性判定装置、同一性判定システムおよびプログラムを提供することである。
【課題を解決するための手段】
【０００７】
［同一性判定装置］
請求項１に係る本発明は、判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段と、
前記登録装置情報および前記材質情報と、予め取得された基準データとが対応付けられて記憶された第２の記憶手段と、
判定処理を行う際に判定対象の物体から取得された照合用データと、材質情報および照合装置情報とを受け付ける受付手段と、
前記受付手段により受付けられた材質情報および照合装置情報と、当該照合装置情報により特定される登録装置情報とに対応した照合基準情報を前記第１の記憶手段から読み出し、前記照合装置情報により特定される登録装置情報と前記材質情報に対応した基準データを前記第２の記憶手段から読み出し、前記受付手段により受け付けられた照合用データと、前記第２の記憶手段から読み出した基準データとを、読み出した照合基準情報を用いて照合することにより判定対象の物体の同一性を判定する判定手段とを備えた同一性判定装置である。
【０００８】
請求項２に係る本発明は、判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段と、
前記登録装置情報、前記材質情報および物体の識別情報と、予め取得された基準データとが対応付けられて記憶された第２の記憶手段と、
判定処理を行う際に判定対象の物体から取得された照合用データと、照合装置情報および判定対象の物体の識別情報とを受け付ける受付手段と、
前記受付手段により受付けられた識別情報に対応する登録装置情報、材質情報および基準データを前記第２の記憶手段から読み出し、読み出した登録装置情報、材質情報および前記受付手段により受け付けられた照合装置情報の組に対応した照合基準情報を前記第１の記憶手段から読み出し、前記受付手段により受け付けられた照合用データと、前記第２の記憶手段から読み出した基準データとを、読み出した照合基準情報を用いて照合することにより判定対象の物体の同一性を判定する判定手段とを備えた同一性判定装置である。
【０００９】
請求項３に係る本発明は、前記照合基準情報が、照合の際に、判定対象の物体が基準データを取得した物体と同一であるか否かを判定するための閾値情報である請求項１又は２記載の同一性判定装置である。
【００１０】
請求項４に係る本発明は、前記閾値情報が、判定対象の物体が基準データを取得した物体と同一であるか否かを判定するための相関係数の閾値、および相関係数を正規化した値であるノーマライズドスコアの閾値のいずれか一方または両方である請求項３記載の同一性判定装置である。
【００１１】
請求項５に係る本発明は、照合が行われた際に前記受付手段により受け付けられた照合用データと、登録装置情報、材質情報および照合装置情報とを対応付けて記憶する第３の記憶手段と、
同一性判定が行われる際に前記受付手段において照合用データのみが受付けられた場合、前記第３の記憶手段に記憶されている過去の照合用データの特徴情報をそれぞれ算出し、前記受付手段により受付けられた照合用データから算出される特徴情報と最も類似する特徴情報が算出された照合用データと対応付けて記憶されている登録装置情報、材質情報および照合装置情報を前記第３の記憶手段から読み出して、前記受付手段により受付けた照合用データに対応する登録装置情報、材質情報および照合装置情報と推定する推定手段とをさらに備えた請求項１記載の同一性判定装置である。
【００１２】
請求項６に係る本発明は、前記特徴情報が、前記照合用データの各画素の輝度平均値と輝度分散である請求項５記載の同一性判定装置である。
【００１３】
請求項７に係る本発明は、登録装置情報および材質情報と基準データとが送信されてきた場合、送信されてきた登録装置情報、材質情報および基準データとを対応付けて前記第２の記憶手段に登録する登録手段をさらに備え、
前記登録手段は、基準データの登録処理が行われる際に基準データのみが送信されてきた場合、前記第２の記憶手段に既に記憶されている他の基準データの特徴情報を算出して、送信されてきた基準データの特徴情報と最も類似する特徴情報が算出された基準データと対応付けて記憶されている登録装置情報および材質情報を、送信されてきた基準データと対応付けて前記第２の記憶手段に登録する請求項１記載の同一性判定装置である。
【００１４】
請求項８に係る本発明は、前記特徴情報が、前記基準データの各画素の輝度平均値と輝度分散である請求項７記載の同一性判定装置である。
【００１５】
請求項９に係る本発明は、前記判定手段が、判定対象の物体の同一性を判定しようとする際に、登録装置情報、材質情報および照合装置情報の組が前記第１の記憶手段に登録されていない場合、判定処理は実行不可能であると判定する請求項１から８のいずれか記載の同一性判定装置である。
【００１６】
［同一性判定システム］
請求項１０に係る本発明は、判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段と、前記登録装置情報および前記材質情報と、予め取得された基準データとが対応付けられて記憶された第２の記憶手段と、判定処理を行う際に判定対象の物体から取得された照合用データと、材質情報および照合装置情報とを受け付ける受付手段と、前記受付手段により受付けられた材質情報および照合装置情報と、当該照合装置情報により特定される登録装置情報とに対応した照合基準情報を前記第１の記憶手段から読み出し、前記照合装置情報により特定される登録装置情報と前記材質情報に対応した基準データを前記第２の記憶手段から読み出し、前記受付手段により受け付けられた照合用データと、前記第２の記憶手段から読み出した基準データとを、読み出した照合基準情報を用いて照合することにより判定対象の物体の同一性を判定する判定手段と、を備えた同一性判定装置と、
判定対象の物体表面の一部を撮像することにより照合用データおよび材質情報を取得し、自装置の情報である照合装置情報とともに前記同一性判定装置に対して送信する端末装置と、
を有する同一性判定システムである。
【００１７】
請求項１１に係る本発明は、判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段と、前記登録装置情報、前記材質情報および物体の識別情報と、予め取得された基準データとが対応付けられて記憶された第２の記憶手段と、判定処理を行う際に判定対象の物体から取得された照合用データと、照合装置情報および判定対象の物体の識別情報とを受け付ける受付手段と、前記受付手段により受付けられた識別情報に対応する登録装置情報、材質情報および基準データを前記第２の記憶手段から読み出し、読み出した登録装置情報、材質情報および前記受付手段により受け付けられた照合装置情報の組に対応した照合基準情報を前記第１の記憶手段から読み出し、前記受付手段により受け付けられた照合用データと、前記第２の記憶手段から読み出した基準データとを、読み出した照合基準情報を用いて照合することにより判定対象の物体の同一性を判定する判定手段と、を備えた同一性判定装置と、
判定対象の物体表面の一部を撮像することにより照合用データおよび物体の識別情報を取得し、自装置の情報である照合装置情報とともに前記同一性判定装置に対して送信する端末装置と、
を有する同一性判定システムである。
【００１８】
［プログラム］
請求項１２に係る本発明は、判定処理を行う際に判定対象の物体から取得された照合用データと、材質情報および照合装置情報とを受け付ける受付ステップと、
前記受付ステップにおいて受付けられた材質情報および照合装置情報と、当該照合装置情報により特定される登録装置情報とに対応した照合基準情報を、判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段から読み出すステップと、
前記受付ステップにおいて受付けられた照合装置情報により特定される登録装置情報と材質情報に対応した基準データを、前記登録装置情報および前記材質情報と、予め取得された基準データとが対応付けられて記憶された第２の記憶手段から読み出すステップと、
前記受付ステップにおいて受け付けられた照合用データと、前記第２の記憶手段から読み出した基準データとを、読み出した照合基準情報を用いて照合することにより判定対象の物体の同一性を判定する判定ステップとをコンピュータに実行させるためのプログラムである。
【００１９】
請求項１３に係る本発明は、判定処理を行う際に判定対象の物体から取得された照合用データと、照合装置情報および判定対象の物体の識別情報とを受け付ける受付ステップと、
前記受付ステップにおいて受付けられた識別情報に対応する登録装置情報、材質情報および基準データを、前記登録装置情報、前記材質情報および物体の識別情報と、予め取得された基準データとが対応付けられて記憶された第２の記憶手段から読み出すステップと、
読み出された登録装置情報、材質情報および前記受付ステップにおいて受け付けられた照合装置情報の組に対応した照合基準情報を、判定対象の物体表面の一部を撮像した基準データを登録する際に使用した登録装置情報、同一性判定の対象となる物体の材質情報、照合用データを取得する際に使用する照合装置情報と、照合で使用される照合基準情報とが対応付けられて記憶された第１の記憶手段から読み出すステップと、
前記受付ステップにおいて受け付けられた照合用データと、前記第２の記憶手段から読み出した基準データとを、読み出した照合基準情報を用いて照合することにより判定対象の物体の同一性を判定する判定ステップとをコンピュータに実行させるためのプログラムである。
【発明の効果】
【００２０】
請求項１に係る本発明によれば、物体表面の一部を撮像した画像を基準データとして登録しておき、判定対象の物体から取得した照合用データを基準データと比較することにより物体の同一性を判定する際に、登録装置、照合装置および物体の材質に関係なく同じ照合処理を行う場合と比較して、照合精度を向上することが可能な同一性判定装置を提供することができる。
【００２１】
請求項２に係る本発明によれば、請求項１に係る発明により得られる効果に加えて、照合用データを、第２の記憶手段に記憶されている登録装置情報および材質情報が一致する全ての基準データと比較する場合と比較して、照合演算の演算量を削減することが可能な同一性判定装置を提供することができる。
【００２２】
請求項３に係る本発明によれば、判定対象の物体が基準データを取得した物体と同一か否かの判定基準を、登録装置、照合装置および物体の材質の組み合わせ毎に変更することが可能な同一性判定装置を提供することができる。
【００２３】
請求項４に係る本発明によれば、判定対象の物体が基準データを取得した物体と同一か否かの判定基準とする相関係数の閾値または相関係数のノーマライズドスコアの閾値を、登録装置、照合装置および物体の材質の組み合わせ毎に変更することが可能な同一性判定装置を提供することができる。
【００２４】
請求項５に係る本発明によれば、照合の際に照合用データのみが受付けられた場合でも、照合処理を実行することが可能な同一性判定装置を提供することができる。
【００２５】
請求項６に係る本発明によれば、照合の際に照合用データのみが受付けられた場合でも、照合処理を実行することが可能な同一性判定装置を提供することができる。
【００２６】
請求項７に係る本発明によれば、基準データの登録の際に基準データのみが送信されてきた場合でも、送信されてきた基準データを、登録装置情報および材質情報と対応付けて登録することが可能な同一性判定装置を提供することができる。
【００２７】
請求項８に係る本発明によれば、基準データの登録の際に基準データのみが送信されてきた場合でも、送信されてきた基準データを、登録装置情報および材質情報と対応付けて登録することが可能な同一性判定装置を提供することができる。
【００２８】
請求項９に係る本発明によれば、登録装置、照合装置および物体の材質との組み合わせにより信頼性の高い照合処理を実現できない場合には、その旨を利用者に知らせることが可能な同一性判定装置を提供することができる。
【００２９】
請求項１０に係る本発明によれば、物体表面の一部を撮像した画像を基準データとして登録しておき、判定対象の物体から取得した照合用データを基準データと比較することにより物体の同一性を判定する際に、登録装置、照合装置および物体の材質に関係なく同じ照合処理を行う場合と比較して、照合精度を向上することが可能な同一性判定システムを提供することができる。
【００３０】
請求項１１に係る本発明によれば、請求項１０に係る発明により得られる効果に加えて、照合用データを、第２の記憶手段に記憶されている登録装置情報および材質情報が一致する全ての基準データと比較する場合と比較して、照合演算の演算量を削減することが可能な同一性判定システムを提供することができる。
【００３１】
請求項１２に係る本発明によれば、物体表面の一部を撮像した画像を基準データとして登録しておき、判定対象の物体から取得した照合用データを基準データと比較することにより物体の同一性を判定する際に、登録装置、照合装置および物体の材質に関係なく同じ照合処理を行う場合と比較して、照合精度を向上することが可能なプログラムを提供することができる。
【００３２】
請求項１３に係る本発明によれば、請求項１２に係る発明により得られる効果に加えて、照合用データを、第２の記憶手段に記憶されている登録装置情報および材質情報が一致する全ての基準データと比較する場合と比較して、照合演算の演算量を削減することが可能なプログラムを提供することができる。
【図面の簡単な説明】
【００３３】
【図１】本発明の第１の実施形態の同一性判定システムのシステム構成を示す図である。
【図２】本発明の第１の実施形態における判定サーバ４０のハードウェア構成を示すブロック図である。
【図３】本発明の第１の実施形態における判定サーバ４０の機能構成を示すブロック図である。
【図４】判定セットテーブル記憶部３５に記憶されている判定セットテーブル例を示す図である。
【図５】ランダムパターンテーブル記憶部３４に記憶されるランダムパターンテーブル例を示す図である。
【図６】本発明の第１の実施形態における端末装置１０のハードウェア構成を示すブロック図である。
【図７】本発明の第１の実施形態における端末装置１０の機能構成を示すブロック図である。
【図８】基準データ登録時の処理を説明するための図である。
【図９】商品券６０の特定領域からランダムパターン７１を基準データとして取得する様子を説明するための図である。
【図１０】商品券６０に対して、登録デバイス情報、マテリアル情報をコード化した２次元コード５１を印刷する様子を説明するための図である。
【図１１】同一性判定時の処理を説明するための図である。
【図１２】商品券６１を端末装置１０の撮像部２１により撮影する様子を説明するための図である。
【図１３】撮影された商品券６１の画像の特定領域からランダムパターン７２を照合用データとして取得する様子を説明するための図である。
【図１４】照合制御部３３が、基準データとして取得したランダムパターン７１と、照合用データとして取得したランダムパターン７２の相関演算を行って同一性判定を行う様子を説明するための図である。
【図１５】端末装置１０において表示される判定結果の表示例１を示す図である。
【図１６】端末装置１０において表示される判定結果の表示例２を示す図である。
【図１７】本発明の第２の実施形態におけるランダムパターンテーブル例を示す図である。
【図１８】本発明の第２の実施形態の同一性判定システムにおける基準データ登録時の処理を説明するための図である。
【図１９】本発明の第２の実施形態の同一性判定システムにおける同一性判定時の処理を説明するための図である。
【図２０】本発明の第３の実施形態における判定サーバ４０ａの機能構成を示すブロック図である。
【図２１】本発明の第３の実施形態における照合履歴情報記憶部３６に記憶される照合履歴情報例を示す図である。
【図２２】本発明の第３の実施形態における照合用データの輝度平均値、輝度分散の算出例を示す図である。
【図２３】本発明の第３の実施形態における基準データの輝度平均値、輝度分散の算出例を示す図である。
【発明を実施するための形態】
【００３４】
次に、本発明の実施の形態について図面を参照して詳細に説明する。
【００３５】
ここで、本実施形態の同一性判定システムについて説明する前に、いわゆる紙指紋と呼ばれる同一性の判定技術について説明する。
【００３６】
紙、金属、樹脂等の様々な物体の表面には、人体の指紋、静脈パターン、虹彩パターン等と同じように一意性のあるランダムパターンが存在する。そのため、物体の表面に沿って分布するランダムパターンの一部の画像を取得して基準データとして登録しておき、再度物体の同じ場所から撮影したランダムパターンを照合用データとして取得して、予め登録しておいた基準データと比較することにより同一物体であるか否か、つまりその物体の真贋を判定することができる。つまり、登録しておいた基準データと、判定対象の物体から取得された照合用データとが十分類似すれば、その物体は基準データを取得した物体と同一のものであり、そうでなければ別の物体であると判定することができる。
【００３７】
特に、紙は植物繊維が複雑に絡み合ってできており、紙の一部の画像を撮影することによりランダムパターンを取得することができる。
【００３８】
そして、紙に含まれる植物繊維等のランダムパターンを、それぞれの紙を識別する「指紋」として用いることをＰＦＰ（Paper Finger Print）技術という。なお、このＰＦＰ技術は、紙だけでなく、物体表面にランダムパターンを有する物体、例えばブラスト処理された金属板や銀塗装された樹脂板等の物体にも適用可能である。
【００３９】
この同一性判定技術を用いることにより、例えば、各種チケット、有価証券あるいは証明書等の真贋判定を行うことが可能となる。
【００４０】
［第１の実施形態］
このような同一性判定を行う本発明の第１の実施形態の同一性判定システムのシステム構成を図１に示す。
【００４１】
本実施形態の同一性判定システムは、図１に示されるように、ネットワーク３０により相互に接続された端末装置１０、判定サーバ４０およびスキャン装置５０により構成される。
【００４２】
本実施形態の同一性判定システムでは、物体表面の一部を撮像した画像を基準データとして登録しておき、判定対象の物体から取得した照合用データを基準データと比較することにより物体の同一性を判定するものである。
【００４３】
本実施形態の同一性判定システムでは、スキャン装置５０により判定対象の物体の表面の特定領域のランダムパターンを基準データとして判定サーバ４０において登録しておく。
【００４４】
そして、同一性の判定を行おうとする判定対象の物体をスマートフォン等の端末装置１０により撮影して、その表面の特定領域のランダムパターンを照合用データとして取得して、無線ＬＡＮターミナル２０を介してネットワーク３０経由にて判定サーバ４０に送信する。
【００４５】
判定サーバ４０では、端末装置１０から送信されてきた照合用データと予め登録されていた基準データとを比較することにより、判定対象の物体が、基準データを取得した際の物体と同一であるか否かを判定し、その判定結果を端末装置１０に通知する。
【００４６】
端末装置１０では、判定サーバ４０における判定結果を表示することにより、ユーザは、判定対象の物体の同一性、つまり真贋を知ることができる。
【００４７】
なお、図１では、端末装置１０、スキャン装置５０がそれぞれ１台のみが示されているが、実際には照合用データを撮影する端末装置１０および基準データを取得するスキャン装置５０には様々な種類の装置が存在している。
【００４８】
次に、本実施形態の同一性判定システムにおける判定サーバ４０のハードウェア構成を図２に示す。
【００４９】
判定サーバ４０は、図２に示されるように、ＣＰＵ４１、メモリ４２、ハードディスクドライブ（ＨＤＤ）等の記憶装置４３、ネットワーク３０を介して外部の装置等との間でデータの送信及び受信を行う通信インタフェース（ＩＦ）４４、タッチパネル又は液晶ディスプレイ並びにキーボードを含むユーザインタフェース（ＵＩ）装置４５を有する。これらの構成要素は、制御バス４６を介して互いに接続されている。
【００５０】
ＣＰＵ４１は、メモリ４２または記憶装置４３に格納された制御プログラムに基づいて所定の処理を実行して、判定サーバ４０の動作を制御する。なお、本実施形態では、ＣＰＵ４１は、メモリ４２または記憶装置４３内に格納された制御プログラムを読み出して実行するものとして説明するが、当該プログラムをＣＤ−ＲＯＭ等の記憶媒体に格納してＣＰＵ４１に提供することも可能である。
【００５１】
図３は、上記の制御プログラムが実行されることにより実現される判定サーバ４０の機能構成を示すブロック図である。
【００５２】
本実施形態の判定サーバ４０は、図３に示されるように、データ送受信部３１と、登録制御部３２と、照合制御部３３と、ランダムパターンテーブル記憶部３４と、判定セットテーブル記憶部３５とを備えている。
【００５３】
判定セットテーブル記憶部３５は、判定対象の物体表面の一部を撮像した基準データを登録する際に使用した登録デバイス情報（登録装置情報）、同一性判定の対象となる物体のマテリアル情報（材質情報）、照合用データを取得する際に使用する照合デバイス情報（照合装置情報）と、照合で使用される照合パラメータ（照合基準情報）とが対応付けられた判定セットテーブルが記憶されている。
【００５４】
この判定セットテーブル記憶部３５に記憶されている判定セットテーブル例を図４に示す。
【００５５】
図４に示した判定セットテーブルでは、基準データを登録する際に使用したスキャン装置５０の情報、例えば機種名等の情報「scan001」を登録デバイス情報として、判定対象の物体の材質である「普通紙」をマテリアル情報とし、照合用データを取得する際に使用した端末装置１０の情報、例えば機種名等の情報「phone001」を照合デバイス情報として対応付ける例が示されている。そして、判定セットテーブルでは、この登録デバイス情報、マテリアル情報、照合デバイス情報の組み合わせ毎に、照合を行う際に使用する照合パラメータが設定されている。
【００５６】
ここで、照合パラメータとは、照合の際に、判定対象の物体が基準データを取得した物体と同一であるか否かを判定するための閾値情報である。具体的には、この閾値情報とは、判定対象の物体が基準データを取得した物体と同一であるか否かを判定するための相関係数（類似度）の閾値、および相関係数を正規化した値であるノーマライズドスコアの閾値のいずれか一方または両方である。
【００５７】
ここで、登録デバイス、判定対象の物体の材質、照合デバイスの組み合わせ毎に、どのような閾値を用いて照合を行えば、照合精度が高くなるかが予め求められている。そして、そのようにして求められた照合パラメータが、判定セットテーブルとして判定セットテーブル記憶部３５に記憶される。
【００５８】
図４に示した判定セットテーブルでは、登録デバイス情報「scan001」、マテリアル情報「普通紙」、照合デバイス情報「phone001」という組み合わせには、照合の際の最適な照合パラメータとして、相関係数（類似度）の閾値を「０．３４」、相関係数のノーマライズドスコアの閾値を「８」とするように設定されている。
【００５９】
そして、ランダムパターンテーブル記憶部３４は、登録デバイス情報およびマテリアル情報と、予め取得された基準データとが対応付けられて記憶されたランダムパターンテーブルを記憶している。
【００６０】
このランダムパターンテーブル記憶部３４に記憶されるランダムパターンテーブル例を図５に示す。
【００６１】
図５に示したランダムパターンテーブルでは、例えば、登録デバイス情報「scan001」、マテリアル情報「普通紙」という情報と対応付けられて、基準となる物体表面から取得されたランダムパターン「０x８３ａ５３１５９・・・」が基準データとして登録されている。
【００６２】
データ送受信部３１は、ネットワーク３０を介して端末装置１０やスキャン装置５０等との間でデータの送受信を行っている。そして、データ送受信部３１は、基準データの登録が行われる際には、基準データとともに、登録デバイス情報、材質情報をスキャン装置５０から受信する。そして、データ送信部３１は、判定処理を行う際に判定対象の物体から取得された照合用データと、登録デバイス情報、マテリアル情報および照合デバイス情報とを受け付ける。
【００６３】
登録制御部３２は、登録デバイス情報およびマテリアル情報と基準データとがスキャン装置５０から送信されてきた場合、送信されてきた登録デバイス情報、マテリアル情報および基準データとを対応付けてランダムパターンテーブル記憶部３４に登録する。
【００６４】
照合制御部３３は、データ送受信部３１により受付けられた登録デバイス情報、マテリアル情報および照合デバイス情報の組に対応した照合パラメータを判定セットテーブル記憶部３５から読み出し、登録デバイス情報、マテリアル情報に対応した基準データをランダムパターンテーブル記憶部３４から読み出す。そして、照合制御部３３は、データ送受信部３１により受け付けられた照合用データと、ランダムパターンテーブル記憶部３４から読み出した基準データとを、読み出した照合パラメータを用いて照合することにより判定対象の物体の同一性を判定する。
【００６５】
そして、照合制御部３３は、同一性の判定結果を、照合用データを送信してきた端末装置１０に返信する。すると、端末装置１０では、判定サーバ４０から返信されてきた判定結果をディスプレイ等に表示することにより、ユーザは、判定対象の物体の真贋判定結果を知ることができる。
【００６６】
なお、照合制御部３３は、判定対象の物体の同一性を判定しようとする際に、登録デバイス情報、マテリアル情報および照合デバイス情報の組が判定セットテーブル記憶部３５に登録されていない場合、判定処理は実行不可能であると判定する。この場合、端末装置を通じて判定対象の物体の真贋判定が行われなかった旨をユーザに通知してもよい。すなわち判定対象の物体の真贋判定が行われなかった場合、読み出した照合パラメータを用いて照合することにより物体の同一性を判定した結果である真贋判定結果とは、別の形態でユーザに通知されることになる。また通知する際、判定セットのうち、どの情報が登録されていないかをユーザに通知してもよい。たとえば、照合デバイス情報（phone100）が判定セットテーブルに登録されていない場合、「phone100では真贋判定を行うことができません」といった表示画面が端末装置に表示される。
【００６７】
次に、本実施形態の同一性判定システムにおける端末装置１０のハードウェア構成を図６に示す。
【００６８】
端末装置１０は、図６に示されるように、ＣＰＵ１１、メモリ１２、ハードディスクドライブ（ＨＤＤ）等の記憶装置１３、ネットワーク３０を介して外部の装置等との間でデータの送信及び受信を行う通信インタフェース（ＩＦ）１４、タッチパネル又は液晶ディスプレイ並びにキーボードを含むユーザインタフェース（ＵＩ）装置１５、画像を撮影するためのカメラ１６を有する。これらの構成要素は、制御バス１７を介して互いに接続されている。
【００６９】
ＣＰＵ１１は、メモリ１２または記憶装置１３に格納された制御プログラムに基づいて所定の処理を実行して、端末装置１０の動作を制御する。なお、本実施形態では、ＣＰＵ１１は、メモリ１２または記憶装置１３内に格納された制御プログラムを読み出して実行するものとして説明するが、当該プログラムをアプリケーションプログラムとしてダウンロードしてＣＰＵ１１に提供することも可能である。
【００７０】
図７は、上記の制御プログラムが実行されることにより実現される端末装置１０の機能構成を示すブロック図である。
【００７１】
本実施形態の端末装置１０は、図７に示されるように、撮像部２１と、制御部２２と、表示部２３と、データ送受信部２４とから構成されている。
【００７２】
撮像部２１は、判定対象の物体を撮像して画像データを取得する。データ送受信部２４は、無線ＬＡＮターミナル２０、ネットワーク３０を介して判定サーバ４０との間でデータの送受信を行っている。
【００７３】
制御部２２は、撮像部２１により撮像された判定対象の物体の画像から、判定対象の物体の特定領域における照合用データを取得する。
【００７４】
ここで、本実施形態では、判定対象の物体の表面に、登録デバイス情報およびマテリアル情報が、例えばコード化されたＱＲコード（登録商標）等の２次元コードにより印刷されている。そのため、制御部２２は、撮像部２１により撮像された判定対象の物体の画像からこの２次元コードを抽出して登録デバイス情報およびマテリアル情報を取得する。
【００７５】
そして、制御部２２は、取得した照合用データとともに、登録デバイス情報およびマテリアル情報をデータ送受信部２４から判定サーバ４０に送信する。
【００７６】
表示部２３は、制御部２２による制御に基づいて、判定サーバ４０から送信されてきた判定結果を表示する。
【００７７】
このように構成されていることにより、端末装置１０は、判定対象の物体表面の一部を撮像することにより照合用データ、登録デバイス情報およびマテリアル情報を取得し、自装置の情報である照合デバイス情報とともに判定サーバ４０に対して送信する。
【００７８】
次に、本実施形態の同一性判定システムにおける動作について、図面を参照して詳細に説明する。
【００７９】
先ず、基準データ登録時の処理について図８を参照して説明する。
【００８０】
以下においては、図８に示すような商品券６０を判定対象の物体とする場合を用いて具体的に説明を行う。図８では、この商品券６０から基準データを取得して判定サーバ４０に登録する際の動作が示されている。
【００８１】
図８に示されているように、商品券６０をスキャン装置５０によりスキャンして画像を読み取る。すると、図９に示すように、商品券６０の特定領域、例えば、１〜２ｍｍ四方の領域のランダムパターン７１が基準データとして取得される。
【００８２】
そして、スキャン装置５０から判定サーバ４０に対して、（１）スキャン装置５０の機種名等の登録デバイス情報「scan001」、（２）ユーザ等により入力された商品券６０の材質であるマテリアル情報「普通紙」、（３）取得されたランダムパターン７１の情報が送信される。
【００８３】
判定サーバ４０では、登録制御部３２によりスキャン装置５０から送信されてきた登録デバイス情報、マテリアル情報と基準データであるランダムパターンとが対応付けられてランダムパターンテーブル記憶部３４に登録される。
【００８４】
その後、図１０に示すように、ランダムパターンの登録が行われた商品券６０に対して、登録デバイス情報「scan001」、マテリアル情報「普通紙」をコード化した２次元コード５１を印刷機により特定の場所に印刷する。このようにして２次元コード５１が印刷された商品券６１が市場に流通されることになる。なお、本実施形態では、登録デバイス情報とマテリアル情報をコード化して印刷する場合を用いて説明するが、単に文字列等により判定対象の物体表面に印刷するようにしても良い。
【００８５】
次に、同一性判定時の処理について図１１を参照して説明する。
【００８６】
そして、２次元コード５１が印刷された商品券６１を入手して、この商品券６１が正規に発行されたものであるのか、またはコピー等により違法に複製されたものであるのかを判定する真贋判定を行う場合について説明する。
【００８７】
先ず、図１２に示すように、商品券６１を端末装置１０の撮像部２１により撮影する。すると、端末装置１０では、図１３に示すように、撮影された商品券６１の画像の特定領域からランダムパターン７２を照合用データとして取得する。また、端末装置１０は、撮影された商品券６１の画像に含まれる２次元コード５１を復号して、登録デバイス情報「scan001」、マテリアル情報「普通紙」を取得する。
【００８８】
そして、図１１に示すように、端末装置１０から判定サーバ４０に対して、（１）登録デバイス情報「scan001」、（２）マテリアル情報「普通紙」、（３）自装置の機種名等の情報である照合デバイス情報（phone001）、（４）照合用データとして取得されたランダムパターン７２の情報が送信される。なお、本実施形態においては、登録デバイス情報「scan001」が送信されているが、例えば、照合デバイス情報「phone001」と関連する登録デバイス情報が「scan001」であることが判明している場合、必ずしも登録デバイス情報が送信される必要はない。例えば、マテリアル情報（普通紙）と、自装置の機種名の情報である照合デバイス情報（phone001）のみが端末装置１０から判定サーバ４０に対して送信されてもよい。
【００８９】
すると、判定サーバ４０の照合制御部３３は、ランダムパターンテーブル記憶部３４に記憶されているランダムパターンテーブルから、送信されてきた登録デバイス情報「scan001」、マテリアル情報「普通紙」に対応付けられている全てのランダムパターンを基準データとして取得する。
【００９０】
さらに、照合制御部３３は、判定セットテーブル記憶部３５に記憶されている判定セットテーブルから、送信されてきた登録デバイス情報「scan001」、マテリアル情報「普通紙」、照合デバイス情報「phone001」に対応付けられている照合パラメータを取得する。具体的には、照合制御部３３は、判定セットテーブルから、相関係数の閾値「０．３４」、ノーマライズドスコアの閾値「８」という情報を照合パラメータとして取得する。
【００９１】
なお、登録デバイス情報が端末装置１０から送信されなかった場合、照合デバイス情報を用いて、照合パラメータを取得してもよい。例えば、照合デバイス情報「phone001」と関連する登録デバイス情報が「scan001」であることが判明している場合、端末装置１０から送信された照合デバイス情報「phone01」を用いて、登録デバイス情報「scan001」を特定し、特定した登録デバイス情報「scan001」と、マテリアル情報「普通紙」及び照合デバイス情報「phone001」に対応付けられている照合パラメータを取得してもよい。
【００９２】
そして、照合制御部３３は、図１４に示すように、基準データとして取得したランダムパターン７１と、照合用データとして取得したランダムパターン７２のそれぞれの画素毎に濃度値の相関演算を行って相関係数（相関値）を算出する。そして、照合制御部３３は、算出された相関係数が閾値「０．３４」以上であるか否かにより比較している２つの物体が同一であるか否かを判定する。
【００９３】
なお、照合制御部３３は、相関係数を閾値と比較して同一性判定を行うだけでなく、ノーマライズドスコアを算出して閾値と比較することにより同一性判定を行う。
【００９４】
具体的には、基準データと照合用データとを全く同じ位置から取得することは現実的には困難であるため、基準データを取得する領域に対して照合用データを取得する領域は広く設定される。
【００９５】
そのため、実際には基準データと照合用データの相関演算は画素をずらしつつ複数回行われる。そして、複数の相関演算により算出された相関係数の最大値が上記の閾値と比較されて同一性判定が行われる。そして、さらに相関係数の最大値と、複数の相関係数の平均値とから相関係数の最大値におけるノーマライズドスコアを演算して同一性の判定が行われる。
【００９６】
このノーマライズドスコアとは、相関係数の最大値の分布具合を表す特徴量であり、相関係数の最大値のノーマライズドスコアは下記の式に基づいて算出される。
【００９７】
ノーマライズドスコア＝（相関係数の最大値−相関係数の平均値）÷相関係数の標準偏差
【００９８】
このノーマライズドスコアとは、その値が母集団の平均値からどれだけ離れているかを示す指標である。そのため、相関値の最大値のノーマライズドスコアとは、複数の相関値のうちの最大値が、相関値の平均値からどれだけ離れているかを示す指標となる。
【００９９】
照合制御部３３は、この相関係数の最大値および、相関係数の最大値のノーマライズドスコアを、照合パラメータとして取得した閾値とそれぞれ比較することにより最終的な同一性判定を行う。
【０１００】
そして、判定サーバ４０における同一性判定の判定結果は、端末装置１０に送信されて端末装置１０において判定結果が表示される。
【０１０１】
このようにして端末装置１０において判定結果が表示される場合の表示例を図１５、図１６に示す。
【０１０２】
図１５では、判定サーバ４０において照合用データと基準データとがともに同一の物体により取得されたものであると判定された場合の判定結果の表示例が示されている。つまり、図１５では、商品券６１の真贋判定結果として、「判定対象の商品券は、正規に発行されたものです。」という文字が端末装置１０において表示され、ユーザは判定を行った商品券６１が正規に発行されたものであることを知ることがきる。
【０１０３】
また、登録デバイス情報、マテリアル情報および照合デバイス情報の組が判定セットテーブル記憶部３５に登録されていないことにより、判定処理は実行不可能であると判定された場合の端末装置１０における表示例を図１６に示す。
【０１０４】
図１６を参照すると、端末装置１０において、真贋判定結果として、「登録デバイス、判定対象の材質との組み合わせにより、本装置による照合処理は実行不可能です。他の装置を用いて照合処理を実行してください。」と表示されている。つまり、端末装置１０を用いた照合処理では照合精度が保証されないため、端末装置１０以外の装置により照合処理を行うようユーザに促すような表示が行われている。
【０１０５】
［第２の実施形態］
次に、本発明の第２の実施形態の同一性判定システムについて説明する。
【０１０６】
本実施形態の同一性判定システムは、上記で説明した第１の実施形態の同一性判定システムとほぼ同様な構成となっており、異なる部分のみについて説明を行う。そのため、本実施形態において、第１の実施形態と同様な構成については同じ符号を参照して説明する。
【０１０７】
本実施形態では、判定サーバ４０のランダムパターン記憶部３４に記憶されているランダムパターンテーブルが、図１７に示すように構成されている。
【０１０８】
つまり、本実施形態におけるランダムパターン記憶部３４は、登録デバイス情報、マテリアル情報および物体の識別情報である識別ＩＤ（IDentifier：識別子）と、予め取得された基準データとが対応付けられて記憶されている。
【０１０９】
本実施形態においては、図１８に示すように、判定対象の物体である商品券６２には、この商品券６２の個体を識別するための識別ＩＤがコード化されて２次元コード５２として印刷されていることが前提となっている。
【０１１０】
なお、本実施形態では、識別ＩＤが２次元コード５２として商品券６２に印刷された場合を用いて説明するが、商品券毎に発行番号等が印字されている場合には、この発行番号等の情報を識別ＩＤとして使用することも可能である。
【０１１１】
なお、本実施形態においては、判定サーバ４０の判定セットテーブル記憶部３５に記憶される判定セットテーブルについては、図４に示した第１の実施形態における判定セットテーブルと同様な構成となっている。
【０１１２】
本実施形態では基準データ登録時の際に、図１８に示すように、スキャン装置５０から判定サーバ４０に対して、（１）登録デバイス情報「scan001」、（２）マテリアル情報「普通紙」、（３）２次元コード５２から得られた識別ＩＤ「ID10012」、（４）取得されたランダムパターン７１の情報が送信される。
【０１１３】
すると、判定サーバ４０では、登録制御部３２によりスキャン装置５０から送信されてきた登録デバイス情報、マテリアル情報、識別ＩＤと基準データであるランダムパターンとが対応付けられてランダムパターンテーブル記憶部３４に登録される。
【０１１４】
次に、本実施形態の同一性判定システムにおける同一性判定時の処理について図１９を参照して説明する。
【０１１５】
本実施形態においても、判定対象の商品券６２を端末装置１０の撮像部２１により撮影する。すると、端末装置１０では、撮影された商品券６２の画像の特定領域からランダムパターンを照合用データとして取得する。また、端末装置１０は、撮影された商品券６２の画像に含まれる２次元コード５２を復号して、識別ＩＤ「ID10012」を取得する。
【０１１６】
本実施形態における端末装置１０は、判定対象の物体表面の一部を撮像することにより照合用データおよび物体の識別ＩＤを取得し、自装置の情報である照合デバイス情報とともに判定サーバ４０に対して送信する。
【０１１７】
具体的には、図１９に示すように、端末装置１０から判定サーバ４０に対して、（１）識別ＩＤ、（２）自装置の機種名等の情報である照合デバイス情報（phone001）、（３）照合用データとして取得されたランダムパターンの情報が送信される。
【０１１８】
すると、判定サーバ４０のデータ送受信部３１は、判定処理を行う際に判定対象の物体から取得された照合用データと、照合デバイス情報および識別ＩＤとを受け付ける。
【０１１９】
そして、判定サーバ４０の照合制御部３３は、ランダムパターンテーブル記憶部３４に記憶されているランダムパターンテーブルから、データ送受信部３１により受付けられた識別ＩＤ「ID10012」に対応付けられている、登録デバイス情報「scan001」、マテリアル情報「普通紙」を取得するとともに、識別ＩＤ「ID10012」に対応付けられているランダムパターンを基準データとして読み出す。
【０１２０】
さらに、照合制御部３３は、ランダムパターンテーブルから読み出した登録デバイス情報「scan001」、マテリアル情報「普通紙」およびデータ送受信部３１により受け付けられた照合デバイス情報「phone001」の組に対応した照合パラメータを判定セットテーブル記憶部３５から読み出す。
【０１２１】
そして、照合制御部３３は、データ送受信部３１により受け付けられた照合用データと、ランダムパタ−ンテーブル記憶部３４から読み出した基準データとを、読み出した照合パラメータを用いて照合することにより判定対象の物体の同一性を判定する。
【０１２２】
本実施形態では、照合の際に照合用データとの比較対象となる基準データは識別ＩＤによって１つのみに特定される。そのため、照合制御部３３は、照合用データと基準データとの照合を１対のデータどうしのみで行えば良い。
【０１２３】
なお、本実施形態における基準データと照合用データとの照合については、上記で説明した第１の実施形態と同様であるため、その説明は省略する。
【０１２４】
［第３の実施形態］
次に、本発明の第３の実施形態の同一性判定システムについて説明する。
【０１２５】
本実施形態の同一性判定システムは、上記で説明した第１および第２の実施形態の同一性判定システムとほぼ同様な構成となっており、異なる部分のみについて説明を行う。そのため、本実施形態において、第１および第２の実施形態と同様な構成については同じ符号を参照して説明する。
【０１２６】
本実施形態の同一性判定システムは、上記で説明した第１および第２の実施形態の同一性判定システムに対して、判定サーバ４０が判定サーバ４０ａに置き換えられた構成となっている。
【０１２７】
図２０に示すように、本実施形態の同一性判定システムにおける判定サーバ４０ａは、図３で示した判定サーバ４０に対して、照合履歴情報記憶部３６が追加された構成となっている。
【０１２８】
この照合履歴情報記憶部３６に記憶される照合履歴情報例を図２１に示す。
【０１２９】
照合履歴情報記憶部３６は、過去において照合が行われた際にデータ送受信部３１により受け付けられた照合用データと、登録デバイス情報、マテリアル情報および照合デバイス情報とを対応付けて記憶する。つまり、照合履歴情報記憶部３６は、過去において行われた照合の履歴情報を記憶する。
【０１３０】
そして、本実施形態では、照合制御部３３は、同一性判定が行われる際にデータ送受信部３１において照合用データのみが受付けられた場合、照合履歴情報記憶部３６に記憶されている過去の照合用データの特徴情報をそれぞれ算出する。そして、照合制御部３３は、データ送受信部３１により受付けられた照合用データから算出される特徴情報と最も類似する特徴情報が算出された照合用データと対応付けて記憶されている登録デバイス情報、マテリアル情報および照合デバイス情報を照合履歴情報記憶部３６から読み出す。そして、照合制御部３３は、データ送受信部３１により受付けた照合用データに対応する登録デバイス情報、マテリアル情報および照合デバイス情報と推定する。
【０１３１】
そして、照合制御部３３は、推定した登録デバイス情報、マテリアル情報および照合デバイス情報を用いて、照合用データと基準データとの照合を行う。
【０１３２】
ここで、本実施形態では、照合用データの特徴情報として、照合用データの各画素の輝度平均値と輝度分散を用いた場合について説明する。
【０１３３】
つまり、照合制御部３３は、図２２に示すように、登録デバイス情報、マテリアル情報および照合デバイス情報の組み合わせ毎に、過去において照合を行った照合用データの各画素の輝度平均値、輝度分散を算出する。
【０１３４】
そして、照合制御部３３は、同一性判定が行われる際に照合用データのみが送信されてきた場合、送信されてきた照合用データの各画素の輝度平均値、輝度分散を算出して、その値が最も類似するつまりその値が近似する輝度平均値、輝度分散の登録デバイス情報、マテリアル情報および照合デバイス情報の組み合わせを特定する。
【０１３５】
そして、照合制御部３３は、特定した登録デバイス情報、マテリアル情報および照合デバイス情報の組み合わせを、送信されてきた照合用データの登録デバイス情報、マテリアル情報および照合デバイス情報であると推定して照合を行う。
【０１３６】
また、本実施形態の登録制御部３２は、基準データの登録処理が行われる際に基準データのみがスキャン装置５０から送信されてきた場合、ランダムパターンテーブル記憶部３４に既に記憶されている他の基準データの特徴情報を算出する。そして、登録制御部３２は、送信されてきた基準データの特徴情報と最も類似する特徴情報が算出された基準データと対応付けて記憶されている登録デバイス情報およびマテリアル情報を、送信されてきた基準データと対応付けてランダムパターン記憶部３４に登録する。
【０１３７】
ここで、本実施形態では、基準データの特徴情報として、基準データの各画素の輝度平均値と輝度分散を用いた場合について説明する。
【０１３８】
つまり、登録制御部３２は、図２３に示すように、登録デバイス情報、マテリアル情報の組み合わせ毎に、過去において登録済みの他の基準データの各画素の輝度平均値、輝度分散を算出する。
【０１３９】
そして、登録制御部３２は、基準データの登録の際に基準データのみが送信されてきた場合、送信されてきた基準データの各画素の輝度平均値、輝度分散を算出して、その値が最も類似するつまりその値が近似する輝度平均値、輝度分散の登録デバイス情報、マテリアル情報の組み合わせを特定する。
【０１４０】
そして、登録制御部３２は、特定した登録デバイス情報およびマテリアル情報の組み合わせを、送信されてきた基準データの登録デバイス情報およびマテリアル情報報であると推定して登録処理を行う。
【０１４１】
[変形例]
上記実施形態では、照合デバイスとして端末情報１０を用い、登録デバイスとしてスキャン装置５０を用いた場合について説明したが、本発明はこれに限定されるものではなく、照合デバイスや登録デバイスはこのような装置に限定されるものではない。例えば、印刷、スキャン、コピー機能を有する、いわゆる複合機と呼ばれる装置や、デジタルカメラ等の撮像機能またはスキャン機能を備えた各種機器を登録デバイスや照合デバイスとして用いる場合でも同様に本発明を適用することができるものである。
【符号の説明】
【０１４２】
１０    端末装置
１１    ＣＰＵ
１２    メモリ
１３    記憶装置
１４    通信インタフェース（ＩＦ）
１５    ユーザインタフェース（ＵＩ）装置
１６    カメラ
１７    制御バス
２０    無線ＬＡＮターミナル
２１    撮像部
２２    制御部
２３    表示部
２４    データ送受信部
３０    ネットワーク
３１    データ送受信部
３２    登録制御部
３３    照合制御部
３４    ランダムパターンテーブル記憶部
３５    判定セットテーブル記憶部
３６    照合履歴情報記憶部
４０、４０ａ    判定サーバ
４１    ＣＰＵ
４２    メモリ
４３    記憶装置
４４    通信インタフェース（ＩＦ）
４５    ユーザインタフェース（ＵＩ）装置
４６    制御バス
５０    スキャン装置
５１、５２    ２次元コード
６０、６１、６２    商品券
７１、７２    ランダムパターン
【図１】
2019200447.tif 000003
【図２】
2019200447.tif 000004
【図３】
2019200447.tif 000005
【図４】
2019200447.tif 000006
【図５】
2019200447.tif 000007
【図６】
2019200447.tif 000008
【図７】
2019200447.tif 000009
【図８】
2019200447.tif 000010
【図９】
2019200447.tif 000011
【図１０】
2019200447.tif 000012
【図１１】
2019200447.tif 000013
【図１２】
2019200447.tif 000014
【図１３】
2019200447.tif 000015
【図１４】
2019200447.tif 000016
【図１５】
2019200447.tif 000017
【図１６】
2019200447.tif 000018
【図１７】
2019200447.tif 000019
【図１８】
2019200447.tif 000020
【図１９】
2019200447.tif 000021
【図２０】
2019200447.tif 000022
【図２１】
2019200447.tif 000023
【図２２】
2019200447.tif 000024
【図２３】
2019200447.tif 000025